(57)【特許請求の範囲】
【請求項１】
スマートフォン（９）に外嵌して保持する保持ケース（１）と、該保持ケース（１）の一短辺（１ａ）側に枢着される門型の支持枠（２）と、を備え、さらに、上記スマートフォン（９）を横置き姿勢に支持する折畳支持部材（３）が上記保持ケース（１）の裏壁部（13）に設けられ、
上記折畳支持部材（３）は、側面視Ｖ字状の展開状態と重なった不使用状態とに切換自在な係止用の第１板部（31）と枢着用の第２板部（32）を有し、側面視Ｖ字の展開状態で、上記第１板部（31）と上記第２板部（32）の連結折曲げ基端縁（Ｐ）から上記第１板部（31）の係止先端縁（Ｑ）までの第１長さ寸法（Ｌ１）と、上記連結折曲げ基端縁（Ｐ）から上記第２板部（32）の枢着先端縁（Ｒ）までの第２長さ寸法（Ｌ２）を相違させたことを特徴とするスマートフォンケース。
【発明の詳細な説明】
【技術分野】
【０００１】
本発明は、スマートフォンケースに関する。
【背景技術】
【０００２】
従来のスマートフォンケースは、スマートフォンの外周面と裏面を覆って、傷等の損傷を防止するものであった（例えば、特許文献１参照）。
【先行技術文献】
【特許文献】
【０００３】
【特許文献１】登録実用新案第３１７０２１６号公報
【発明の概要】
【発明が解決しようとする課題】
【０００４】
しかし、スマートフォンの使用として、音声通話以外に、テレビやインターネット等の情報通信網を介した動画の視聴、或いは、テレビ電話がある。
このようなスマートフォンの画面を長時間見る場合に、手に持ったままでは、疲れるため、充電スタンドに立て掛けて動画等を視聴していた。
しかし、外出の際に、充電スタンドを持ち運ぶのは煩雑で、手間であった。また、スマートフォンの姿勢を画面が見易い姿勢に保持することができなかった。
【０００５】
そこで、本発明は、スマートフォンを容易かつ迅速に立てて置くことができ、しかも、スマートフォンの姿勢を画面が見易い所望の傾斜角度で保持可能なスマートフォンケースの提供を目的とする。
【課題を解決するための手段】
【０００６】
上記目的を達成するために、本発明のスマートフォンケースは、スマートフォンに外嵌して保持する保持ケースと、該保持ケースの一短辺側に枢着される門型の支持枠と、を備え、さらに、上記スマートフォンを横置き姿勢に支持する折畳支持部材が上記保持ケースの裏壁部に設けられ、上記折畳支持部材は、側面視Ｖ字状の展開状態と重なった不使用状態とに切換自在な係止用の第１板部と枢着用の第２板部を有し、側面視Ｖ字の展開状態で、上記第１板部と上記第２板部の連結折曲げ基端縁から上記第１板部の係止先端縁までの第１長さ寸法と、上記連結折曲げ基端縁から上記第２板部の枢着先端縁までの第２長さ寸法を相違させたものである。
【発明の効果】
【０００７】
本発明によれば、スマートフォンを容易かつ迅速に縦置き姿勢及び横置き姿勢で置くことができる。スマートフォンを所望の傾斜角度をもって保持できる。嵩張らず容易に持ち運びできる、スマートフォンを保持ケースと支持枠で２重に保護できる。しかも、第１横置き傾斜角度をもった第１横置き姿勢と、第１横置き傾斜角度よりも小さい第２横置き傾斜角度をもった第２横置き姿勢と、に２段階に横置き姿勢を切換できる。
【図面の簡単な説明】
【０００８】
【図１】本発明の第１の実施形態を示す正面図である。
【図２】第１の実施形態の側面図である。
【図３】第１の実施形態の背面図である。
【図４】図３のＡ−Ａ断面図である。
【図５】図３のＢ−Ｂ断面図である。
【図６】第１の実施形態の縦置き使用状態を説明するための側面図である。
【図７】第１の実施形態の横置き使用状態を説明するための断面図である。
【図８】第１の実施形態の横置き使用状態を説明するための断面図である。
【図９】第１の実施形態の鏡部材使用状態を説明するための断面図である。
【図１０】第２の実施形態を示す正面図である。
【図１１】第２の実施形態の側面図である。
【図１２】第２の実施形態の縦置き使用状態を説明するための側面図である。
【図１３】参考例の正面図である。
【図１４】参考例の側面図である。
【図１５】参考例の背面図である。
【図１６】図15のＣ−Ｃ断面図である。
【図１７】図16のＤ−Ｄ断面図である。
【図１８】参考例の縦置き使用状態を説明するための側面図である。
【発明を実施するための形態】
【０００９】
以下、図示の実施形態に基づき本発明を詳説する。
本発明に係るスマートフォンケースは、図１乃至図９に示す第１の実施の形態に於て、正面視略長方形（矩形）のスマートフォン９を保持する金属製又は樹脂製の保持ケース１を備えている。
保持ケース１は、正面視略長方形（矩形）であって、保持ケース１は、スマートフォン９の長手方向Ｎに沿った、一対の長辺１ｃ，１ｄと、スマートフォン９の幅方向Ｗに沿った一対の短辺１ａ，１ｂと、を有している。
そして、保持ケース１の一短辺１ａ側に枢着される、正面視門型の金属製又は樹脂製の支持枠２を１つ備えている。
言い換えると、保持ケース１は、スマートフォン９の外周側面を保護する周壁部10を有している。周壁部10は、スマートフォン９の長手方向Ｎに沿った、一対の長辺壁部10ｃ，10ｄと、スマートフォン９の幅方向Ｗに沿った一対の短辺壁部10ａ，10ｂと、を有している。つまり、スマートフォン９の幅方向Ｗと保持ケース１の幅方向Ｗは同方向であり、スマートフォン９の長手方向Ｎと保持ケース１の長手方向Ｎは同方向である。
そして、保持ケース１の一短辺壁部10ａ側（縦置き姿勢のスマートフォン９に対して下側の短辺壁部10ａ側）に枢着される支持枠２を備えている。なお、本発明に於て、スマートフォン９の長手方向Ｎが上下方向側となる姿勢を縦置き姿勢と呼び、スマートフォン９の幅（短手）方向Ｗが上下方向側となる姿勢を横置き姿勢と呼ぶ。
【００１０】
支持枠２は、横断面一文字状の板状の芯材29を有している。芯材29は、非揺動状態（図１に示すような非展開状態）において、保持ケース１の一対の長辺壁部10ｃ，10ｄに沿って配設され、その一対の長辺壁部10ｃ，10ｄを保護する一対の長辺板部２ｃ，２ｄと、保持ケース１の他短辺壁部10ｂに沿って配設され、他短辺壁部10ｂ（上側の短辺壁部10ｂ）を保護する連結板部20と、を有している。
【００１１】
支持枠２は、外表面が、高摩擦抵抗材質から成る。つまり、芯材29に、エラストマーやシリコンゴム等のゴム材質（高い滑り止め作用を有する材質）等の高摩擦抵抗材質から成る摩擦滑り止め材21が被覆されて、外表面を高摩擦抵抗材質にて構成している。
具体的には、芯材29の外表面積の９０％以上が被覆されている。言い換えると、連結板部20全体と、長辺板部２ｃ，２ｄの８０％以上の部分（長辺板部２ｃ，２ｄの枢着部近傍を除いた部分）が被覆されている。つまり、支持枠２は、外表面の一部（又は外表面全体）が高摩擦抵抗材質から成る。
【００１２】
摩擦滑り止め材21は、支持枠２の非揺動状態（非展開状態）において、保持ケース１の他短辺壁部10ｂと、一対の長辺壁部10ｃ，10ｄとに密着するように設けられている。
保持ケース１と摩擦滑り止め材21の間の摩擦力は、保持ケース１に対して支持枠２が不用意に揺動せず非展開状態（閉状態）に保持可能に設定されている。
【００１３】
また、支持枠２は、保持ケース１と摩擦滑り止め材21の間の摩擦力よりも強い力が付与されると、枢着軸心廻りに揺動して、図６に示すように、設置面Ｇに平行な水平状展開状態で、保持ケース１に保持されたスマートフォン９を縦置き状態に支持するものである。
そして、摩擦滑り止め材21は、設置面Ｇに密着して、（摩擦滑り止め材21が被覆されていない金属製の芯材29だけの場合に比べて）設置面Ｇとの摩擦力を高めて、縦置き姿勢のスマートフォン９のタッチパネル等の操作部を指で操作しても位置ズレしないように設けている。
【００１４】
さらに、支持枠２と保持ケース１との枢着部の摩擦力（保持ケース１と支持枠２と枢着軸４との摩擦力）は、保持ケース１の縦置き傾斜角度θを無段階で調整可能に設定すると共に、縦置き姿勢のスマートフォン９のタッチパネルを指で操作する力では後方へ傾倒しないように設定している。
【００１５】
また、図４に示すように、保持ケース１の周壁部10は、保持されたスマートフォン９の表て面90よりも前方に突出している。
そして、周壁部10は開口端縁部内面11にスマートフォン９の表て面90を係止する係止用の小凸部12を有している。
小凸部12は、一対の長辺壁部10ｃ，10ｄと、一対の短辺壁部10ａ，10ｂに、夫々１箇所、合計で４箇所設けられている。また、スマートフォン９を保持ケース１に対して着脱する際に、周壁部10及び小凸部12は弾性変形可能に設けている。また、保持ケース１は、周壁部10に包囲され、スマートフォン９が収納される保持空間91を有している。
【００１６】
図３乃至図５、及び、図７乃至図９に示すように、保持ケース１の裏壁部13に、スマートフォン９を横置き姿勢に支持する折畳支持部材３を１つ備えている。
折畳支持部材３は、図４及び図５に示すように、裏壁部13に後方開口状に形成された収納空間50に積層状に折り重なって収納される不使用状態（収納状態）と、図７乃至図９に示すように、側面視Ｖ字状に展開した展開状態（使用状態）と、に切換自在な係止用の第１板部31と枢着用の第２板部32を有している。第１・２板部31，32は、収納状態で背面視（正面視）長方形状である。
【００１７】
第１板部31と第２板部32は基端側に、夫々、薄肉部を有し、互いの薄肉部が連結した連結薄肉部35が弾性変形して展開状態と・折重なり収納状態と、切り換わり可能に設けられている。
具体的には、１枚の板状部材30を、第１板部31と第２板部32と取付板部33に順次区分けし、第１板部31と第２板部32の境界部に切欠溝部を設けて連結薄肉部35を形成して折曲げ自在とし、第２板部32と取付板部33の境界部に切欠溝部を設けて取付薄肉部34を形成して折曲げ（揺動）自在としている。
【００１８】
また、保持ケース１の裏壁部13において、保持ケース１の幅方向Ｗの一方（一方の長辺壁部10ｃ、一長辺１ｃ）寄りに、取付板部33を固着するための取付凹部15を設けている。取付板部33を取付凹部15に固着して、第２板部32の先端側が保持ケース１に対して揺動自在とすることで、第２板部32を保持ケース１に枢着（設）している。また、取付板部33の外面及び第２板部32の外面32ａは、不使用状態で、裏壁部13の外面13ａと面一状となるように配設されている。
【００１９】
また、第１板部31は、先端側に、外面31ａから突出する係止爪部39を有している。
そして、収納空間50を包囲する内周壁51において、保持ケース１の幅方向Ｗの他方（他方の長辺壁部10ｄ、他長辺１ｄ）側の壁部に、第１板部31の係止爪部39が展開状態で係脱自在な、係止用凹部52が形成されている。図７乃至図９に示すように、係止爪部39が係止用凹部52に係合することで、第１板部31及び第２板部32が側面視Ｖ字（くの字）状の展開状態に保持される。
【００２０】
また、図７及び図８に於て、折畳支持部材３が、側面視横倒Ｖ字状の展開状態で、第１板部31と第２板部32の連結折曲げ基端縁Ｐから、第１板部31の係止先端縁Ｑまでの第１長さ寸法Ｌ１と、連結折曲げ基端縁Ｐから第２板部32の枢着先端縁Ｒまでの第２長さ寸法Ｌ２を相違させている。より具体的には、第１長さ寸法Ｌ１よりも第２長さ寸法Ｌ２を長く設定している。
【００２１】
さらに、詳しく説明すると、図７の第１横置き姿勢における摩擦滑り止め材21の接地点Ｅから第１板部31の接地点Ｓ１までの距離よりも、図８の第２横置き姿勢における摩擦滑り止め材21の接地点Ｅから第２板部32の接地点Ｓ２までの距離が、長くなるように設定（構成）し、かつ、図７の第１横置き姿勢における第１板部31の接地点Ｓ１から枢着先端縁Ｒまでの（鉛直）高さ寸法を図８の第２横置き姿勢における第２板部32の接地点Ｓ２から係止先端縁Ｑまでの（鉛直）高さ寸法を短くなるように設定（構成）している。
つまり、第１横置き傾斜角度α１をもった第１横置き姿勢と、第１横置き傾斜角度α１よりも小さい第２横置き傾斜角度α２をもった第２横置き姿勢と、に２段階に切換自在に設けている。
【００２２】
また、第１板部31の外面（第２板部32と対面しない面）31ａに、鏡部材６を付設している。また、第１板部31は、第１板部31が設置面Ｇ側となる展開状態（図７参照）で接地する接地予定部（基端部）にエラストマー等のゴム製（高摩擦抵抗材質）の滑り止め用の第１摩擦部材61を有している。また、第２板部32は、第２板部32が設置面Ｇ側となる展開状態（図８参照）で設置する設置予定部（基端部）にエラストマー等のゴム製（高摩擦抵抗材質）の滑り止め用の第２摩擦部材62を有している。
【００２３】
また、保持ケース１の収納空間50を包囲する内周壁51において、保持ケース１の幅方向Ｗの他方（他方の長辺壁部10ｄ、他長辺１ｄ）側の壁部、かつ、係止用凹部52よりも後方側に、不使用状態の第２板部32の基端部（連結薄肉部35）に当接して折畳支持部材３が不用意に展開状態となるのを規制するストッパ凸部53を、突設している。
【００２４】
また、折畳支持部材３は、不使用状態で、使用者の指が差し込み可能な操作窪部70と、操作窪部70に差し込まれた指が係止可能な舌片状の操作突片部73と、を有している。
操作窪部70は、第１板部31に形成された凹部71と、第２板部32に形成された窓部72から成る。
【００２５】
また、保持ケース１の収納空間50を包囲する内周壁51において、保持ケース１の長手方向Ｎ（一対の短辺壁部10ａ，10ｂ、短辺１ａ，１ｂ）側の壁部、夫々に、折畳支持部材３（第１板部31）のスマートフォン９側への揺動を規制する当り用の突条部59を設けている。
突条部59は、不使用状態での当り用と、折畳支持部材３を展開操作する際に、第１板部31の短辺側の先端が、摺接して、係止爪部39を係止用凹52に案内するガイドレール部と、を併用（共用）した部位である。
【００２６】
また、図２及び図６に於て、保持ケース１の一短辺壁部10ａと裏壁部13が接する角部（保持ケース１の縦置き状態接地予定部）に、エラストマー等のゴム製（高摩擦抵抗材質）の縦置き用摩擦材19が設けられている。
なお、図２及び図６に於て、縦置き用摩擦材19を保持ケース１の一短辺壁部10ａと裏壁部13から突出状に設けているが、一短辺壁部10ａ及び裏壁部13に窪部を設け、その窪部に縦置き用摩擦材19を接着（貼着）して外面と面一状に設けても良い。
また、保持ケース１の裏壁部13は、保持空間91と収納空間50を連通する開口部を有し、第１板部31及び第２板部32を引き出した状態で、使用者が保持ケース１の裏面側から、スマートフォン９の裏面を指で押して、容易に保持ケース１からスマートフォン９を離脱可能としている。
【００２７】
次に、本発明の第１の実施形態のスマートフォンケースの使用方法（作用）について説明する。
保持ケース１の保持空間91にスマートフォン９を接近させる。スマートフォン９からの押圧力を受けて、周壁部10及び係止用小凸部12が僅かに弾性変形し、保持空間91にスマートフォン９が嵌め込まれると、周壁部10及び係止用小凸部12が弾性復元して、スマートフォン９の表て面90を係止して、スマートフォン９の不用意な脱落が防止される。
【００２８】
音声通話や電子メール等で使用者が手にもって使用する場合は、支持枠２の摩擦滑り止め材21によって、使用者の手から滑り落ちるのを防止する。また、支持枠２が揺動するのを防止する。
【００２９】
動画等の視聴でスマートフォン９を縦置きする場合は、図６に示すように、設置面Ｇに平行な水平状に展開して、スマートフォン９を縦置き姿勢に支持する。
摩擦滑り止め材21及び縦置き用摩擦材19が設置面Ｇに密着し、スマートフォン９のタッチパネルを操作しても位置ズレが防止される。
また、保持ケース１の縦置き傾斜角度θは無段階で調整（調節）され、使用者が表示画面を見易い所望の縦置き傾斜角度θに保持される。縦置き姿勢のスマートフォン９を操作する程度の操作力では、傾倒せず、所望の縦置き傾斜角度θに保持される。
【００３０】
また、スマートフォン９を横置きする場合は、支持枠２を非揺動状態に戻して、操作窪部70に指を入れて第２板部32を引き出す。第２板部32及び第１板部31の基端部が僅かに弾性弯曲変形して、ストッパ凸部53を乗り越え、展開可能（準備）状態となる。
【００３１】
図７に於て、第１板部31の係止爪部39を、係止用凹部52に係合させると、折畳支持部材３が側面視横倒Ｖ字状（くの字状）の展開状態となり、スマートフォン９を横置き姿勢に支持する。
さらに、図７に示すように、第１板部31を設置面Ｇ側とした第１横置き姿勢から、上下反転させて、図８に示すように第２板部32を設置面Ｇ側とした第２横置き姿勢に切換えると、第１横置き姿勢よりも倒れた（寝た）横置き姿勢で保持する。言い換えると、第１横置き傾斜角度α１よりも角度が小さい第２横置き傾斜角度α２で支持する。
【００３２】
また、図９に示すように、スマートフォン９がうつ伏せ姿勢となるように保持ケース１を設置面Ｇに載置することで、第１板部31に付設した鏡部材６を使用者が見ることが可能な、鏡部材使用状態（鏡使用姿勢）となる。
鏡部材６は、第１板部31に付設されているので、折畳支持部材３の不使用状態では、鏡面が外部に露出せず、損傷が防止される。また、周壁部10によってスマートフォン９の表て面90（表示画面）は設置面Ｇに接触せず損傷が防止される。また、折畳支持部材３が倒立Ｖ字状となって、鏡部材６を設置面Ｇに対して所定の傾倒角度βで保持し、使用者が鏡部材６を手で保持する必要がない。
【００３３】
また、第１板部31と第２板部32の長手方向の長さ寸法は、スマートフォン９の長手方向長さ寸法の６５％以上９０％以下に設けている。また、第１板部31と第２板部32の幅方向長さ寸法は、スマートフォン９の幅方向長さ寸法の７０％以上９５％以下に設けている。下限値未満であると横置き姿勢での操作力によってスマートフォン９が後方へ倒れてしまう虞や、安定的に支持できない虞がある。上限値を越えると、保持ケース１が大きくなって携帯性が悪くなる。
また、鏡部材６の鏡面面積を、第１板部31の外面31ａの面積の５０％以上９５％以下に設定している。下限値未満であると鏡面に映る範囲が狭く使い勝手が悪い。上限値を越えると、第１摩擦部材61が小さくなって適切な摩擦力が得られない虞がある。
【００３４】
次に、図10乃至図12に示す本発明の第２の実施形態について説明する。なお、図１乃至図９を用いて説明した第１の実施形態と異なる構成を説明する。他の構成は第１の実施形態と同様である。
保持ケース１の一対の短辺１ａ，１ｂの内、縦置き姿勢のスマートフォン９に対して上側となる一短辺１ｂ側に、支持枠２が枢着されている。言い換えると、支持枠２は、保持ケース１の上側の短辺壁部10ｂ側に枢着されている。
支持枠２は、非揺動状態（図10及び図11に示すような非展開状態）において、保持ケース１の一対の長辺壁部10ｃ，10ｄに沿って配設され、一対の長辺壁部10ｃ，10ｄを保護する一対の長辺板部２ｃ，２ｄと、保持ケース１の下側の短辺壁部10ａに沿って配設され、下側の短辺壁部10ａを保護する連結板部20と、を有している。
【００３５】
また、芯材29を被覆する摩擦滑り止め材21は、支持枠２の非揺動状態（非展開状態）において、一対の長辺壁部10ｃ，10ｄと、縦置き用摩擦材19と、に密着して、保持ケース１に対して支持枠２が不用意に揺動しないように摩擦力によって、非展開状態（閉状態）に保持可能に設けている。
なお、下側の短辺壁部10ａ及び裏壁部13に窪部を設け、その窪部に縦置き用摩擦材19を接着（貼着）して外面と面一状に設け、下側の短辺壁部10ａと摩擦滑り止め材21が密着するように構成しても良い。
【００３６】
そして、図12に示すように、支持枠２が、設置面Ｇから前方上傾状に起立展開状態で、（保持ケース１と支持枠２が側面視で倒立Ｖ字状に展開した展開状態で）、保持ケース１に保持されたスマートフォン９を縦置き姿勢に支持するものである。
他の構成及び作用効果は、図１乃至図９を用いて説明した第１実施形態と同様であり、例えば、図３乃至図９に示したように保持ケース１の裏壁部13には、鏡部材６が付設された折畳支持部材３を備えている。
【００３７】
次に、図13乃至図18に本発明と関係の深い参考例のスマートフォンケースを示す。なお、図１乃至図９を用いて説明した第１の実施形態と異なる構成を説明する。他の構成は第１の実施形態と同様である。
保持ケース１の一短辺１ａ側に枢着される、支持ケース８を備えている。言い換えると、保持ケース１の一短辺壁部10ａ側（縦置き姿勢のスマートフォン９に対して下側の短辺壁部10ａ側）に枢着される支持ケース８を備えている。
【００３８】
支持ケース８は、非揺動状態（図13に示すような非展開状態）において、保持ケース１の一対の長辺壁部10ｃ，10ｄに沿って配設され、一対の長辺壁部10ｃ，10ｄを保護する一対の長辺側壁部８ｃ，８ｄと、保持ケース１の他短辺壁部10ｂに沿って配設され、他短辺壁部10ｂ（上側の短辺壁部10ｂ）を保護する連結壁部80と、裏壁部13側を保護する背面壁部83と、を有している。
【００３９】
図15に於て、支持ケース８は、背面壁部83（の外面83ａ）に、エラストマー等のゴム製（高摩擦抵抗材質）の丸山型の滑り止め材81を後方に突設している。滑り止め材81は、背面壁部83の角部寄りに合計で４箇所設けている。
【００４０】
また、図18に於て、支持ケース８は、枢着軸心廻りに揺動して、設置面Ｇに平行な水平状展開状態で、保持ケース１に保持されたスマートフォン９を縦置き状態に支持するものである。
そして、滑り止め材81は、設置面Ｇに密着して、（滑り止め材81がない場合に比べて）設置面Ｇとの摩擦力を高めて、縦置き姿勢のスマートフォン９の操作部を操作しても位置ズレしないように設けている。
なお、第１の実施形態と同様に、摩擦力によって保持ケース１の縦置き傾斜角度θを無段階で調整自在に構成すると共に、縦置き姿勢のスマートフォン９を指で操作する程度の操作力では、傾倒しないように摩擦力を設定している。
【００４１】
また、図15乃至図17に示すように、支持ケース８の背面壁部83に、スマートフォン９を横置き姿勢に支持する第１の実施形態と同様の折畳支持部材３を１つ備えている。
折畳支持部材３と支持ケース８の背面壁部83が相互に関係する構成は、図３乃至図５を用いて説明した折畳支持部材３と保持ケース１の裏壁部13が関係する構成と同様である。
【００４２】
また、支持ケース８の長辺側壁部８ｃ，８ｄと背面壁部83が接する夫々の角部（支持ケース８の横置き状態接地予定部）に、エラストマー等のゴム製（高摩擦抵抗材質）の横置き用摩擦材82，82が設けられている。
なお、横置き用摩擦材82を支持ケース８の長辺側壁部８ｃ，８ｄと背面壁部83から突出状に設けているが、長辺側壁部８ｃ，８ｄ及び背面壁部83に窪部を設け、その窪部に縦置き用摩擦材19を接着（貼着）して外面と面一状に設けても良い。
また、保持ケース１の裏壁部13に、保持空間91と外部を連通する開口部を有している、支持ケース８を展開した状態で、使用者が保持ケース１の裏面側から、スマートフォン９の裏面を指で押して、保持ケース１からスマートフォン９を容易に離脱できるようにしている。或いは、裏壁部13を省略して周壁部10に後方抜け止め突片を設けるも良い。また、支持ケース８の背面壁部83には、保持ケース１の裏壁部13を指で押圧可能な（保持ケース１を支持ケース８から押し出すための）貫通窓部85を設けている。
【００４３】
なお、本発明は、設計変更可能であって、第１板部31の凹部71の代わりに貫孔を設けても良い。なお、鏡部材６を第２板部32に付設しても良い。なお、保持ケース１は、スマートフォン９に設けられたイヤホンジャックや外部機器接続口や端子口等の接続部に、イヤホンや外部端子等の外部接続部材を抜き差し可能とするための窓部や切欠部を有している。また、カメラレンズや照明（フラッシュ）、センサ用の窓部や切欠部も設けている。また、支持枠２（支持ケース８）にも窓部や切欠部を形成するのが望ましい。また、本発明は、スマートフォン９に代わってタブレット型のパーソナルコンピュータ用に適用させても良い。また、保持ケース１や支持枠２（支持ケース８）に携帯ストラップ取付用の凸部や孔部を設けても良い。また、保持ケース１（又はその外表面）の全体又は一部を、シリコンゴムやエラストマー等のゴム製部材（滑り止めに適した滑り止め作用を有する部材）等の高摩擦抵抗材で形成して、縦置き用摩擦材19や横置き用摩擦材82，82を省略しても良い。また、支持枠２（支持ケース８）を高摩擦抵抗材で形成して、被覆（部）を省略しても良い。
【００４４】
以上のように、本発明のスマートフォンケースは、スマートフォン９に外嵌して保持する保持ケース１と、保持ケース１の一短辺１ａ側に枢着される門型の支持枠２と、を備え、支持枠２は、外表面が高摩擦抵抗材質から成り、設置面Ｇに平行な水平状展開状態で、スマートフォン９を縦置き姿勢に支持可能に構成したので、スマートフォン９を容易に所望の傾斜角度をもって縦置きできる。嵩張らず容易に持ち運びできる、スマートフォン９を保持ケース１と支持枠２で二重に保護できる。保持ケース１と支持枠２が揺動して不用意に展開しないようにできると共に、手に持った際の滑り、縦置き姿勢でスマートフォン９の操作部を操作した際の滑りを防止でき、操作性や携帯性を向上できる。また、スマートフォン９を容易かつ迅速に何処でも縦置きできるため片手が不自由な人が直ぐに電子メール等の操作を行なうことができる。
【００４５】
また、スマートフォン９に外嵌して保持する保持ケース１と、保持ケース１の一短辺１ｂ側に枢着される門型の支持枠２と、を備え、支持枠２は、外表面が高摩擦抵抗材質から成り、設置面Ｇから前方上傾状に起立展開状態で、スマートフォン９を縦置き姿勢に支持可能に構成したので、スマートフォン９を容易に所望の傾斜角度をもって縦置きできる。嵩張らず容易に持ち運びできる、スマートフォン９を保持ケース１と支持枠２で二重に保護できる。保持ケース１と支持枠２が揺動して不用意に展開しないようにできると共に、手に持った際の滑り、縦置き姿勢でスマートフォン９の操作部を操作した際の滑りを防止でき、操作性や携帯性を向上できる。また、スマートフォン９を容易かつ迅速に何処でも縦置きできるため片手が不自由な人が直ぐに電子メール等の操作を行なうことができる。
【００４６】
また、鏡部材６が付設されているので、手鏡等の鏡を携帯する必要がなくなる。直ぐに鏡を見ることができる。
【００４７】
また、スマートフォン９を横置き姿勢に支持する折畳支持部材３を備え、折畳支持部材３は、側面視Ｖ字状の展開状態と重なった不使用状態とに切換自在な係止用の第１板部31と枢着用の第２板部32を有し、側面視Ｖ字の展開状態で、第１板部31と第２板部32の連結折曲げ基端縁Ｐから第１板部31の係止先端縁Ｑまでの第１長さ寸法Ｌ１と、連結折曲げ基端縁Ｐから第２板部32の枢着先端縁Ｒまでの第２長さ寸法Ｌ２を相違させたので、スマートフォン９を横置き姿勢に保持することができる。第１横置き傾斜角度α１をもった第１横置き姿勢と、第１横置き傾斜角度α１よりも小さい第２横置き傾斜角度α２をもった第２横置き姿勢と、に２段階に横置き姿勢を切換できる。
【００４８】
また、第１板部31は、接地予定部に滑り止め用の第１摩擦部材61を有し、第２板部32は、接地予定部に滑り止め用の第２摩擦部材62を有するので、横置き姿勢のスマートフォン９の操作部を操作した場合の位置ズレを防止でき、ガタつきやふらつきが無く、姿勢を安定的に保持できる。横置き姿勢でのスマートフォン９の操作性が向上する。
【符号の説明】
【００４９】
１  保持ケース
１ａ，１ｂ  一短辺
２  支持枠
３  折畳支持部材  
６  鏡部材
９  スマートフォン
13  裏壁部
31  第１板部
32  第２板部
61  第１摩擦部材
62  第２摩擦部材
Ｇ  設置面
Ｌ１  第１長さ寸法
Ｌ２  第２長さ寸法
Ｐ  連結折曲げ基端縁
Ｑ  係止先端縁
Ｒ  枢着先端縁
【図１】
0005442144.tif 000002
【図２】
0005442144.tif 000003
【図３】
0005442144.tif 000004
【図４】
0005442144.tif 000005
【図５】
0005442144.tif 000006
【図６】
0005442144.tif 000007
【図７】
0005442144.tif 000008
【図８】
0005442144.tif 000009
【図９】
0005442144.tif 000010
【図１０】
0005442144.tif 000011
【図１１】
0005442144.tif 000012
【図１２】
0005442144.tif 000013
【図１３】
0005442144.tif 000014
【図１４】
0005442144.tif 000015
【図１５】
0005442144.tif 000016
【図１６】
0005442144.tif 000017
【図１７】
0005442144.tif 000018
【図１８】
0005442144.tif 000019